(57)【要約】【課題】  養生シートの位置合わせと仮止め及びロールの転がしを一人の作業員でもできるようにして作業性をよくし、コストを低減する。【解決手段】  養生シート１の片端縁に、着色した接着材を所定幅Ｌに塗布して、接着面６を形成する。これにより、着色した接着材の着色に沿って、重ね合わせ寸法を確認しながら、作業員一人で位置合せと仮止めを同時に行うことができるので、作業性を向上することができ、コスト低減することができる。  また、好ましくは、養生シートの面には、接着剤を塗付する端縁に対して垂直な線であり、該端縁に平行な方向に所定間隔毎に設けられた線Ｗが記されているため、該線を利用して養生シートの位置合せを容易に行うことができ、作業性を向上させることが可能となる。【選択図】  図１
2008031674.tif 000002
【特許請求の範囲】
【請求項１】
養生シートの片端縁に、着色した接着剤を所定幅に塗布して、接着面を形成したことを特徴とする養生シート。
【請求項２】
養生シートの両端縁に、着色した接着剤を所定幅に塗布して、接着面を形成したことを特徴とする養生シート。
【請求項３】
接着剤がブチル系接着剤であることを特徴とする請求項１又は２に記載の養生シート。
【請求項４】
養生シートの面には、接着剤を塗付する端縁に対して垂直な線であり、該端縁に平行な方向に所定間隔毎に設けられた線が記されていることを特徴とする請求項１乃至３のいずれかに記載の養生シート。
【請求項５】
該所定間隔は、塗布される接着剤の所定幅の整数倍に設定されていることを特徴とする請求項４に記載の養生シート。
【発明の詳細な説明】
【技術分野】
【０００１】
本発明は、作業性を向上した養生シートに関する。
【背景技術】
【０００２】
既設の建築物等に使用されている石綿は、大きな環境問題になっており、現在では、その石綿の除去を行っている。この石綿の除去作業時には、大量の石綿が粉塵となって飛散する。この粉塵は、人体に悪影響を及ぼすので、粉塵が外部へ飛散したり、壁や床に付着しないようにしなければならない。そのためには、石綿除去の前作業工程として、壁や床をビニールシート等で覆うようにしている。また、石綿の除去に限らず、この対策は、塗装、リフォーム、解体時においても、塗料の付着や粉塵の飛散を防止するために、必要な個所を、ビニールシート等で覆うようにしている。このビニールシートを、養生シートと言う。以下、室内天井の石綿除去を代表的な例として説明する。
【０００３】
養生シートの施行は、概略次のようにして行われている。図３に示すように、養生シート１は、通常ロール２状に巻かれている。そして、壁面３には、ロール２を転がしながら、養生シート１ａを壁面３に貼着する。次に、図４に示すように、壁面３に貼着された養生シート１ａの下端に寸法Ｌだけ重ね合わせるようにして、床４には、養生シート１ｂが敷設される。次に、図５に示すように、養生シート１ｂに重ねて、養生シート１ｃを敷設する。このように、壁面３及び床４を養生した後に、天井５に使用されている石綿を除去する。石綿の除去に対しては、重ね合わせ寸法Ｌ（３０ｃｍ）、床４には、二重に養生することが、法律で定められている。
【０００４】
従来の養生シートを用いて、壁面３及び床４を養生する場合に、次のような問題があった。即ち、ロール２状に巻かれた養生シート１を壁面３に貼着する場合に、一人の作業員が、養生シート１aの端縁を位置決めしながら、荷造り粘着テープ等で仮止めし、他の作業員が、ロール２を壁面３に沿って転がすようにしていた。従って、従来では、養生シートを位置合わせしながら仮止めするための作業員と、ロール２を転がすための作業員の、少なくとも二人の作業員が必要になり、作業性が悪く、その分コストが嵩むという問題があった。
【０００５】
又、図４に示すように、養生シート１ａの下端は、壁面３に対して自由端であるので、規定の寸法Ｌになるように、養生シート１ｂを養生シート１ａの下端に貼着するのは困難である。そのため従来は、養生シート１ａの下端を荷造り粘着テープ等で壁面３に仮止めする必要があり、作業性の点で問題があり、かつ、余分な工程が必要になって、コストが嵩むという問題があった。また、この場合も同様に、荷造り粘着テープ等を使用して位置決めしながら仮止めする必要があるので、少なくとも二人の作業員が必要になり、その分コストが嵩むという問題があった。また、床４の養生についても同様に、重ね寸法Ｌを厳守しなければならないので、荷造り粘着テープ等で位置合わせしながら仮止めする作業員と、ロール２を転がす作業員の少なくとも二人の作業員が必要になり、その分コストが嵩むという問題があった。
【０００６】
又、図５に示すように、特に床４に対しては、二重の養生が必要である。そして床４は、作業機材の運搬及び設置や作業員が歩行する。又、床４と養生シート１ｂ及び養生シート１ｂと１ｃとは、摩擦力が小さいのでずれ易く、重ね合わせ部分が剥離したり、養生シートが破損する虞があることから、作業員は気を使って作業する必要があり、作業性の点で問題がある。
【発明の開示】
【発明が解決しようとする課題】
【０００７】
本発明は、仮止めに使用する荷造り粘着テープ等の使用を不要にして、作業員一人でも、養生シートの位置合わせと仮止め及びロールの転がしを一人の作業員でもできるようにして作業性をよくし、コストを低減することを目的とする。更に、床面の養生において、養生シートのずれを少なくし、作業員の作業性を向上することを目的とする。
【課題を解決するための手段】
【０００８】
請求項1に記載の発明は、養生シートの片端縁に、着色した接着剤を所定幅に塗布して、接着面を形成したことを特徴とする養生シートである。
【０００９】
次に請求項２に記載の発明は、養生シートの両端縁に、着色した接着剤を所定幅に塗布して、接着面を形成したことを特徴とする養生シートである。
【００１０】
次に請求項３に記載の発明は、上述した請求項１又は２に係る発明において、接着剤にブチル系接着剤を使用することを特徴とする。
【００１１】
また、請求項４に記載の発明は、上述した請求項１乃至３のいずれかに記載の養生シートにおいて、養生シートの面には、接着剤を塗付する端縁に対して垂直な線であり、該端縁に平行な方向に所定間隔毎に設けられた線が記されていることを特徴とする。さらに、請求項５に記載の発明は、請求項４に記載の養生シートにおいて、該所定間隔が、塗布される接着剤の所定幅の整数倍に設定されていることを特徴とする。
【発明の効果】
【００１２】
請求項1の記載から把握される本発明によれば、養生シートの片端縁に、着色した接着剤を所定幅に塗布して、接着面を形成し、着色した接着剤の着色に沿って、重ね合わせ寸法を確認しながら、作業員一人で位置合せと仮止めを同時に行うことができるので、作業性を向上することができ、コスト低減することができる。
【００１３】
次に請求項２の記載から把握される本発明によれば、養生シートの両端縁に、着色した接着剤を所定幅に塗布して接着面を形成し、着色した接着剤の着色に沿って、重ね合わせ寸法を確認しながら、作業員一人で位置合せと仮止めを同時に行うことができると共に、壁面に貼着した養生シートの下端（自由端）の仮止めが容易になり、また床面における養生シートのずれを少なくすことができるので、作業性を向上することができ、コスト低減することができる。
【００１４】
次に、請求項３の記載から把握される本発明によれば、接着剤にブチル系接着剤を使用し、粘着力を弱くして、位置合わせ及び仮止めのやり直し等を容易にすることができるので、作業性を向上することができ、コスト低減することができる。更に、作業終了後に養生シートを容易に剥離することができ、作業性を向上すると共に、コスト低減することができる。
【００１５】
次に、請求項４の記載から把握される本発明によれば、養生シートの面には、接着剤を塗付する端縁に対して垂直な線であり、該端縁に平行な方向に所定間隔毎に設けられた線が記されているため、該線を利用して養生シートの位置合せを容易に行うことができ、作業性を向上させることが可能となる。しかも、請求項５の記載から把握される本発明によれば、該所定間隔が、塗布される接着剤の所定幅の整数倍に設定されているため、着色した接着剤の着色に沿った養生シートの重ね合わせと同様に、養生時に必要とされる重ね合わせ寸法をより正確に実現することができる。
【発明を実施するための最良の形態】
【００１６】
以下、本発明に係る養生シートについて、詳細に説明する。
本発明の養生シートに係る第１の実施例は、図１に示すように、養生シート１の片端縁に、着色した接着剤を所定幅Ｌに塗布し、接着面６を形成する養生シートである。なお、養生シートをロール状に巻き取る場合には、接着面は、ロール状の外側又は内側のいずれかに位置するが、接着面の汚れを防止するためには、接着面がロール状の内側に位置するよう配置することが好ましいが、長尺のロールを扱う際には、ロール状の外側に接着面を配置することが好ましい。
【００１７】
また、本発明の養生シートに係る第２の実施例は、図２において、養生シート１の両端縁に、着色した接着剤を所定幅Ｌに塗布し、接着面６及び７を形成する養生シートである。
【００１８】
本発明の養生シートにおいては、図１及び２に示した接着面６及び７に塗布する接着剤は、ブチル系接着剤を使用する。
【００１９】
また、本発明の養生シートにおいては、図１及び２に示すように、養生シートの面には、接着剤を塗付する端縁に対して垂直な線であり、該端縁に平行な方向に所定間隔毎に設けられた線Ｗが記されている。線ＷのピッチＰ（所定間隔）は、塗布される接着剤の所定幅Ｌの整数倍に設定されている。好ましくは、該ピッチＰは、所定幅Ｌと同じに設定する。線Ｗは、印刷技術などを用いて、養生シートの面（表面又は裏面）に記される。
【００２０】
以下、本発明の養生シートの施工方法について、図面に基いて説明する。
（第１の実施例である養生シートを用いた施工方法）
図３において、壁面３を養生する場合は、接着面６を壁面３に押し当てるようにして、ロール２を支持しながら、ロール２を壁面に沿って転がす。これにより、養生シート１ａの上端縁は、壁面３に貼着し、仮止めされた状態で、壁面３を養生することができる。又、養生シート１は、ロール２状に巻かれているので、接着面６を壁面３に押し当てるのが容易である。このように、一人の作業員で、位置決め、仮止め及びロール２の転がしを行うことができる。又、接着剤に、接着力が比較的弱いブチル系接着剤を使用すると、剥離が容易であるので、位置決めがずれた場合に、やり直しを容易にすることができる。そして、図７に示すように、貼着された養生シート１ａの上端縁を、荷造り粘着テープ８にて壁面３に固定する。
【００２１】
次に、図４に示すように、貼着された養生シート１ａの下端（自由端）に、床４に敷設する養生シート１ｂの端縁を貼着する。この場合に、養生シート１ｂの端縁には、位置決めをする接着面６がないが、重ね合わせ寸法Ｌは、所定のピッチＰで印刷された線Ｗを利用することにより、正確な位置決めをすることができる。この場合には、ロール２を床４に置けるので、ロール２を作業員が支持する必要はない。従って、作業員は、接着面６側を、寸法Ｌに合わせて仮止めすることにより位置決めし、接着面６と反対側を荷造り粘着テープ等で位置決めし貼着する。また、粘着面６は、同時に壁面３及び床４に貼着されて、位置決めが固定される。このようにして、一人の作業員により、位置決め、仮止め及びロール２の転がしを行うことができる。そして、接着剤に、接着力が比較的弱いブチル系接着剤を使用すると、剥離が容易であるので、位置決めがずれた場合に、やり直しを容易にすることができる。そして、図７に示すように、貼着された養生シート１ｂの端縁を、荷造り粘着テープ８にて、壁面３に貼着されている養生シート１ａに固定する。図４では、ロール２の転がし方向が矢印Ａ方向であるが、矢印Ｂ方向にした場合には、接着面６が、所定幅Ｌになっているので、養生シート１ｂの着色された接着面６に沿って、貼着すればよい。これにより、養生シート１ｂの上端縁は、接着面６によって、養生シート１ａの下端に貼着され、粘着テープ等による仮止めが不要となり、作業性を向上することができる。
【００２２】
次に、図５に示すように、貼着された養生シート１ｂの上に重ねて、養生シート１ｃを敷設する。この場合に、寸法Ｌは規定されていないので、床４に対して位置決めしながらロール２を転がし、養生シート１ｃの接着面６を養生シート１ｂに貼着する。この作業も、作業員一人で行うことができる。そして、図７に示すように、貼着された養生シート１ｃの端縁を、養生シート１ｂに荷造り粘着テープ８で固定する。この場合も同様に、接着剤に、接着力が比較的弱いブチル系接着剤を使用すると、剥離が容易であるので、位置決めがずれた場合に、やり直しを容易にすることができる。図５では、ロール２の転がし方向が矢印Ａ方向であるが、矢印Ｂ方向でもよい。
【００２３】
上記図３〜図５に示した養生シートの施工は、壁面３に最初に養生シート１ａを貼着したが、図８に示すように、床面４に最初に養生シート１ｂを貼着する施工もある。この場合には、図８に示すように、折り返し高さＨになるように、壁面３に接着面６を貼着する。この折り返し高さＨは、図９に示す、養生シート１ｂと１ａとの重ね寸法が所定幅Ｌになるように決定する。高さＨは、壁面３に貼着するロール２の長さが決まっているので、容易に決定することができる。この作業も、作業員一人で行うことができる。次に、図９に示すように、壁面３に養生シート１ａを貼着する。そして、図１１に示すように、養生シート１ａの下端と養生シート１ｂの上端、また養生シート１ａの上端を、各々粘着テープ８で固定する。
【００２４】
次に、図１０に示すように、養生シート１ｂの上に、養生シート１ｃを貼着し、床４の上に二重の養生する。図１０では、養生シート１ｂにおけるロール２の転がし方向が矢印Ｂ方向であり、養生シート１ｃにおけるロール２の転がし方向が、矢印Ａ方向になっている。このロール２の転がし方向は特に限定されないが、互いにクロスする方向にすることにより、養生シート１ｂ同士の重ね合わせ部と、養生シート１ｃ同士の重ね合わせ部が重なることが無いので、養生シート１ｂ同士の重ね合わせ部を、養生シート１ｃで保護することができる。作業性については、前記図３〜図５で説明したのと同じであるので、その説明は省略する。
また、養生シート１ｃは、図１０のように養生シート１ａにかかる様に配置しても良いし、図１１に示すように養生シート１ｂ上のみに配置することも可能である。
【００２５】
次に、床４の養生手順は、図６に示すようにして行う。床４に貼着された養生シート１ｂ同士は、規定の寸法Ｌになるように、重ね合わせなければならない。そこで、接着剤は着色された物を使用し、接着剤は所定幅Ｌに塗布されているので、その色に沿って、貼着された養生シート１ｂを貼着すればよい。これにより、規定の寸法Ｌを確認しながら、作業をすることができる。貼着された養生シート１ｃも同様に、規定の寸法Ｌを確認しながら、作業をすることができる。このようにして、規定の寸法Ｌを確認しながら、貼着された養生シート１ｂ及び１ｃを貼着することにより、位置決め及び仮止めを同時にすることができ作業性を向上することができる。そして、それぞれの重ね合わせ部を、荷造り粘着テープ８を貼着して、固定する。この荷造り粘着テープ８による固定作業において、貼着された養生シート１ｂ及び１ｃは、互いに接着面６で仮止めされているので、相互間でずれることはなく、作業性を向上することができる。これらの作業は、全て一人の作業員で行うことができる。
【００２６】
壁面３の養生においても同様に、貼着された養生シート１ａ同士、及び１ｂ同士も規定寸法Ｌの重ね合わせが必要である。この場合も同様に、接着剤は着色された物を使用し、接着材は所定幅Ｌに塗布されているので、その色に沿って、養生シート１ａと１ｂとを貼着すればよい。これにより、規定の寸法Ｌを確認しながら、作業をすることができる。このようにして、規定の寸法Ｌを確認しながら、養生シート１ａ及び１ｂを貼着することにより、位置決め及び仮止めを同時にすることができ作業性を向上することができる。そして、それぞれの重ね合わせ部を、荷造り粘着テープ８を貼着して、固定する。この荷造り粘着テープ８による固定作業において、貼着された養生シート１ａ及び１ｂは、互いに接着面６で仮止めされているので、相互間でずれることはなく、作業性を向上することができる。これらの作業は、全て一人の作業員で行うことができる。
【００２７】
（第２の実施例である養生シートを用いた施工方法）
次に、第２の実施例（図２）の養生シートを用いた施工方法について説明する。ロール２状に巻かれた養生シート１の両端縁には、所定幅Ｌに着色した接着剤を塗布して、接着面６と７を形成している。又、養生シート１の幅方向に、幅Ｌに等しいか又は幅Ｌの整数倍のピッチＰで、線Ｗが印刷されている。この養生シート１を用いた養生の仕方を説明する。
【００２８】
図３において、壁面３を養生する場合は、接着面６及び７を壁面３に押し当てるようにして、ロール２を支持しながら、ロール２を壁面に沿って転がす。これにより、養生シート１ａの両端縁は、壁面３に接着し、仮止めされた状態で、壁面３を養生することができる。又、養生シート１は、ロール２状に巻かれているので、接着面６及び７を壁面３に押し当てるのが容易である。このように、一人の作業員で、位置決め、仮止め及びロール２の転がしを行うことができる。又、接着剤に、接着力が比較的弱いブチル系接着剤を使用すると、剥離が容易であるので、位置決めがずれた場合に、やり直しを容易にすることができる。そして、図７に示すように、貼着された養生シート１ａの上端縁を、荷造り粘着テープ８にて壁面３に固定する。
【００２９】
次に、図４に示すように、貼着された養生シート１ａの下端に、床４に敷設する養生シート１ｂの端縁を貼着する。養生シート１ａは、両端縁に接着面６及び７を設けているので、貼着された養生シート１ａの下端も、壁面３に仮止めされており、自由端ではない。又、養生シート１ｂの寸法Ｌの位置決めは、養生シート１ａの下端で、着色された接着面６又は７に沿って行うことができる。従って、貼着された養生シート１ｂの端縁の位置決め及び仮止めを容易に行うことができ、作業性を向上することができる。また、この場合には、ロール２を床４に置けるので、ロール２を作業員が支持する必要はない。従って、作業員は、接着面６又は７を、寸法Ｌに合わせて接着することにより、貼着された養生シート１ｂの両端を位置決めすることができ、作業性を向上することができる。また、養生シート１ｂの接着面６及び７は、同時に壁面３及び床４に貼着されて、位置決めが固定される。このようにして、一人の作業員により、位置決め、仮止め及びロール２の転がしを行うことができる。又、接着剤に、接着力が比較的弱いブチル系接着剤を使用すると、剥離が容易であるので、位置決めがずれた場合に、やり直しを容易にすることができる。そして、図７に示すように、養生シート１ｂの端縁は、荷造り粘着テープ８にて貼着された養生シート１ａに固定される。
【００３０】
次に、図５に示すように、貼着された養生シート１ｂの上に重ねて、養生シート１ｃを敷設する。この場合に、寸法Ｌは規定されていないので、床４に対して位置決めしながらロール２を転がし、養生シート１ｃの接着面６及び７を貼着された養生シート１ｂに貼着する。この作業も、作業員一人で行うことができる。そして、図７に示すように、貼着された養生シート１ｃの端縁を、貼着された養生シート１ｂに、荷造り粘着テープ８で固定する。この場合も同様に、接着剤に、接着力が比較的弱いブチル系接着剤を使用すると、剥離が容易であるので、位置決めがずれた場合に、やり直しを容易にすることができる。
【００３１】
上記図３〜図５に示した養生シートの施工方法では、壁面３に最初に養生シート１ａを貼着したが、図８に示すように、床面４に最初に養生シート１ｂを貼着する施工もある。この場合には、図８に示すように、折り返し高さＨになるように、壁面３に接着面６を貼着する。この折り返し高さＨは、図９に示す、養生シート１ｂと１ａとの重ね寸法が所定幅Ｌになるように決定する。高さＨは、壁面３に貼着するロール２の長さが決まっているので、容易に決定することができる。この作業も、作業員一人で行うことができる。次に、図９に示すように、ロール２を転がしながら、壁面３に養生シート１ａの上下端を貼着する。この作業も、作業員一人で行うことができる。そして、図１１に示すように、養生シート１ａの下端と養生シート１ｂの上端、また養生シート１ａの上端を、各々粘着テープ８で固定する。
【００３２】
次に、図１０に示すように、養生シート１ｂの上に、養生シート１ｃを貼着し、床４の上に二重の養生する。図１０では、養生シート１ｂにおけるロール２の転がし方向が矢印Ｂ方向であり、養生シート１ｃにおけるロール２の転がし方向が、矢印Ａ方向になっている。このロール２の転がし方向は特に限定されないが、互いにクロスする方向にすることにより、養生シート１ｂ同士の重ね合わせ部と、養生シート１ｃ同士の重ね合わせ部が重なることが無いので、養生シート１ｂ同士の重ね合わせ部を、養生シート１ｃで保護することができる。作業性については、前記図３〜図５で説明したのと同じであるので、その説明は省略する。
【００３３】
次に、床４の養生手順は、図６に示すようにして行う。床４に貼着された養生シート１ｂ同士は、規定の寸法Ｌになるように、重ね合わせなければならない。そこで、接着剤は着色された物を使用し、接着剤は所定幅Ｌに塗布されているので、その色に沿って、貼着された養生シート１ｂを貼着すればよい。或は、所定のピッチＰで印刷されている線Ｗを利用して、貼着すればよい。これにより、規定の寸法Ｌを確認しながら、作業をすることができる。又、この養生シート１は、両端縁に接着面６及び７を設けているので、どちらかの接着面が、床４に接着する。これにより、床４と貼着された養生シート１ｂは、ずれることなく固定される。従って、作業基材や、作業員が歩行してもずれることはなく、貼着された養生シート１ｂ同士の重ね合わせ部及び貼着された養生シート１ｂを破損することが軽減され、作業員の作業を円滑にして、作業性を向上することができる。
【００３４】
貼着された養生シート１ｃも同様に、規定の寸法Ｌを確認しながら、作業をすることができる。このようにして、規定の寸法Ｌを確認しながら、養生シート１ｂ及び１ｃを貼着することにより、位置決め及び仮止めを同時にすることができ作業性を向上することができる。又、この養生シート１ｃは、両端縁に接着面６と７を設けているので、そのどちらか一方が、貼着された養生シート１ｂに接着することになり、実質的に、貼着された養生シート１ｂ及び１ｃは、床４に固定されることになる。
【００３５】
そして、それぞれの重ね合わせ部を、荷造り粘着テープ８を貼着して、固定する。この荷造り粘着テープ８による固定作業において、貼着された養生シート１ｂ及び１ｃは、互いに接着面６及び７で仮止めされているので、相互間でずれることはなく、作業性を向上することができる。これらの作業は、全て一人の作業員で行うことができる。また、床４と貼着された養生シート１ｂ及び１ｃは、接着面６等で床４に固定されているため、作業基材の搬入・設置や、作業員の歩行などでずれることはなく、貼着された養生シート１ｂ同士及び１ｃ同士の重ね合わせ部及び貼着された養生シート１ｂ及び１ｃを破損することが軽減され、作業員の作業を円滑にし、作業性を向上することができる。
【００３６】
壁面３の養生においても同様に、養生シート１ａ同士の接着や、養生シート１ａと１ｂとの接着においても、規定寸法Ｌの重ね合わせが必要である。この場合も同様に、接着剤は着色された物を使用し、接着剤は養生シートの端縁に所定幅Ｌで塗布されているため、その色に沿って、養生シート１ａ及び１ｂを貼着すればよい。或は、所定のピッチＰで印刷された線Ｗを利用して、貼着することも可能である。これにより、規定の寸法Ｌを確認しながら、一人の作業員で作業をすることができる。また、規定の寸法Ｌを確認しながら、接着面６などにより養生シート１ａと１ｂとを貼着するため、位置決め及び仮止めを同時にすることができ作業性を向上することができる。そして、それぞれの重ね合わせ部を、荷造り粘着テープ８を貼着して、固定する。この荷造り粘着テープ８による固定作業において、貼着された養生シート１ａ及び１ｂは、互いに接着面６と７で仮止めされているので、相互間でずれることはなく、作業性を向上することができる。特にこの養生シート１は、両端縁に接着面６と７を設けているので、少なくともどちらか一方の接着面が、壁面３に接着して固定されるので、荷造り粘着テープ８による接着作業が容易になり、作業性を向上することができる。これらの作業は、全て一人の作業員で行うことができる。
【００３７】
養生シートの施工において、ロール２の転がし方向に応じての寸法Ｌの位置決めは、着色された接着面６又は７と、所定のピッチＰで印刷された線Ｗを使い分けして行う。これにより、正確な位置決めを確認しながら養生できるので、作業性を向上することができる。
【産業上の利用可能性】
【００３８】
以上のように本発明の養生シートによれば、仮止めに使用する荷造り粘着テープ等の使用を不要にして、作業員一人でも、養生シートの位置合わせと仮止め及びロールの転がしを一人の作業員でもできるようにして作業性をよくし、コストを低減することが可能となる。更に、床面の養生において、養生シートのずれを少なくし、作業員の作業性を向上することができる。
【図面の簡単な説明】
【００３９】
【図１】本発明の第１の実施例を示す養生シートの平面図である。
【図２】本発明の第２の実施例を示す養生シートの平面図である。
【図３】最初に壁面を養生した場合の壁面の養生を斜視図で示した説明用図である。
【図４】最初に壁面を養生した場合の壁面から床にかけての養生を斜視図で示した説明用図である。
【図５】最初に壁面を養生した場合の床の養生（２回目）を斜視図で示した説明用図である。
【図６】床の養生を縦断面で示した説明用図である。
【図７】壁面から床にかけて養生する作業状態を縦断面で示した説明用図である。
【図８】最初に床面を養生した場合を斜視図で示した説明用図である。
【図９】最初に床面を養生し、次に壁面を養生した場合を斜視図で示した説明用図である。
【図１０】最初に床面を養生した場合の床の養生（２回目）を斜視図で示した説明用図である。
【図１１】最初に床面を養生した場合の壁面から床にかけて養生する作業状態を縦断面で示した説明用図である。
【符号の説明】
【００４０】
１  養生シート
１ａ，１ｂ，１ｃ  貼着された養生シート
２  ロール
３  壁面
４  床
５  天井
６，７  接着面
８  粘着テープ
【図１】
2008031674.tif 000003
【図２】
2008031674.tif 000004
【図３】
2008031674.tif 000005
【図４】
2008031674.tif 000006
【図５】
2008031674.tif 000007
【図６】
2008031674.tif 000008
【図７】
2008031674.tif 000009
【図８】
2008031674.tif 000010
【図９】
2008031674.tif 000011
【図１０】
2008031674.tif 000012
【図１１】
2008031674.tif 000013